(57)【要約】【課題】のし紙を配送伝票の一部として一体的に備えるようにするとともに、そののし紙に再剥離可能な弱粘着力の粘着剤を予め設け、のし紙を別途に用意する手間を無くし、かつ、贈答品を受け取った側でのし紙を簡単に取り外すことができるようにして、化粧箱や化粧包装紙の外観などを損なわないようにする。【解決手段】裏面に塗布した粘着剤が剥離紙で覆われている貼付票８にのし紙１３を分離可能にして設け、のし紙１３の裏面に、貼付票８裏面の粘着剤と同一の粘着剤を点や線などのパターンで塗布してのし紙貼着物に対する粘着力を剥離可能な粘着力に調整してなる弱粘着部１５を設けた。【選択図】    図４
2007007906.tif 000002
【特許請求の範囲】
【請求項１】
裏面に塗布した粘着剤が剥離紙で覆われて表面側に配送情報表示部を有する貼付票に、該貼付票の情報表示領域外にして、表面側に配送情報記載部を有する配達票と表面に情報記載が可能なのし紙とが分離可能にして重ね合わされて、前記貼付票の配送情報記載部と前記配達票の配送情報記載部と前記のし紙の表面部とが一平面に配置され、
前記のし紙の裏面には、前記貼付票裏面の粘着剤と同一の粘着剤を点や線などのパターンで塗布してのし紙貼着物に対する粘着力を剥離可能な粘着力に調整してなる弱粘着部が設けられ、剥離紙により覆われていることを特徴とする配送伝票。
【請求項２】
上記弱粘着部のパターンは単位パターンを繰り返してなり、前記単位パターン当たりにおいて粘着剤塗布面の広さを約１ｍｍ×約１ｍｍとした一個のドット状粘着剤塗布部を有し、前記単位パターンの広さが約２ｍｍ×約２ｍｍ〜約４ｍｍ×約４ｍｍの範囲である請求項１に記載の配送伝票。
【発明の詳細な説明】
【技術分野】
【０００１】
本発明は配送伝票に関するものであり、特にのし紙を備える配送伝票に関するものである。
【背景技術】
【０００２】
従来から配送業者が配送物を取り扱う際に使用される配送伝票は複数の帳票からなるものであって、貼付票と配達票を備えた構成のものが多い。そして例えば前記貼付票の上に配達票を重ね合わせ、さらにその上に依頼主の控票を重ね合わせ、最上位となる帳票に設けられている配送情報記載部に依頼主の住所、氏名などの配送情報を記載し、下位の配達票と貼付票それぞれに設けられている配送情報記載部にも前記記載によって配送情報が同時複写される複写構成を備えている。また、貼付票の裏面には粘着剤が塗布されていて、その粘着剤によって配送伝票が配送物に貼着できるようにしており、配送物の配達業務などにおいて配達員が担当の配送物から集めた配達票の配送情報に基づいて配送ルートを決定し、貼付票に記載されている情報により配送物の届け作業を行なうようにしている。
また、近年にあっては、複数の帳票を一平面に並べ設けた一葉の形態とした配送伝票も利用されており、各帳票への情報出力に際して静電式プリンタの利用が行なえるようにしている。
【０００３】
また、各種のお祝いなどに係る贈答品の注文受付と発送とを行なうサービスがデパートなどの店舗やインターネット上でのサイトにて提供されるようになってきており、このようなサービスでの配送物の配送に際しても上記配送伝票が多く利用されている。
ところで、贈答品の場合、慣習上、のし紙を贈答品に付けて受取人に送るようにしており、化粧箱や化粧包装紙の上面にのし紙を貼り付け、これを配送用の箱などに収めた形態が荷姿となり、これに配送伝票を貼着している。このように贈答品の配送をサービスとする場合にはのし紙の取付が必要となっており、こののし紙を別個に用意する手間を軽減するための工夫として配送伝票と組み合わせることが例えば特許文献１に開示されている。
【特許文献１】特開２００１−２３９７７５公報
【発明の開示】
【発明が解決しようとする課題】
【０００４】
上述したように贈答品の商品形態は紙製や金属製とした化粧箱や化粧包装紙を用いていることから、贈答品を受け取った側では化粧箱や化粧包装紙自体を別用途に再使用すべく丁寧に取り扱って保存しようとする傾向にある。しかしながら、上記のし紙を接着剤や粘着テープにて貼り付けて固定しているため、のし紙を簡単に取り外すことができず、のし紙が破れて箱や包装紙側に残って取り外しがより困難になったり、また箱や包装紙の表面材に層間剥離を生じさせて外観を損なうことが生じ易いものであって、さらに贈答品発送者側でのし紙を貼り付けるためだけに弱接着力の接着手段を用意し、そののし紙に糊付け作業することもコスト高になるという問題を生じる。
そこで本発明は上記事情に鑑み、のし紙を配送伝票の一部として一体的に備えるようにするとともに、そののし紙に再剥離可能な弱粘着力の粘着剤を予め設けておくようにすることを課題とし、のし紙を別途に用意する手間を無くし、かつ、贈答品を受け取った側でのし紙を簡単に取り外すことができるようにして、化粧箱や化粧包装紙の外観などを損なわないようにすることを目的とするものである。
【課題を解決するための手段】
【０００５】
本発明は上記課題を考慮してなされたもので。裏面に塗布した粘着剤が剥離紙で覆われて表面側に配送情報表示部を有する貼付票に、該貼付票の情報表示領域外にして、表面側に配送情報記載部を有する配達票と表面に情報記載が可能なのし紙とが分離可能にして重ね合わされて、前記貼付票の配送情報記載部と前記配達票の配送情報記載部と前記のし紙の表面部とが一平面に配置され、前記のし紙の裏面には、前記貼付票裏面の粘着剤と同一の粘着剤を点や線などのパターンで塗布してのし紙貼着物に対する粘着力を剥離可能な粘着力に調整してなる弱粘着部が設けられ、剥離紙により覆われていることを特徴とする配送伝票を提供して、上記課題を解消するものである。
【０００６】
そして、本発明において、上記弱粘着部のパターンは単位パターンを繰り返してなり、前記単位パターン当たりにおいて粘着剤塗布面の広さを約１ｍｍ×約１ｍｍとした一個のドット状粘着剤塗布部を有し、前記単位パターンの広さが約２ｍｍ×約２ｍｍ〜約４ｍｍ×約４ｍｍの範囲であることが良好である。
【発明の効果】
【０００７】
請求項１に係る発明にあっては、のし紙を分離可能にした状態で事前に備えているものであるため、別途にのし紙を用意する必要がない。そして、そののし紙の裏面に施される弱粘着部は剥離可能な粘着力であるため、贈答品を受け取った側でのし紙を取り外すときにのし紙の破れを生じさせず、また、贈答品側の化粧箱や化粧包装紙に破れや層間剥離を生じさせることがなく、化粧箱や化粧包装紙の装飾性を損なわない。
請求項２に係る発明において、面状に塗布することで貼付票を確実に対象（配送物表面）に貼り付けて脱落することがないようにできる粘着剤を用いながらも、弱粘着部における再剥離性の粘着力を調整することができる。
【発明を実施するための最良の形態】
【０００８】
つぎに本発明を図１から図６に示す実施の形態に基づいて詳細に説明する。
図中１は配送伝票で、該配送伝票１は図３の断面で示されているようにシート部材２の裏面に粘着剤３を施し、この粘着剤３を剥離紙４で覆うとともに、シート部材２の上面に帳票用シート部材５を積層した断面構成を有している。そして、配送伝票１は一葉の形態を呈し、前記帳票用シート部材５側から入れられたスリット６によって、その帳票用シート部材５が四つの領域Ａ，Ｂ，Ｃ，Ｄに区分されていて、この状態を配送伝票１の一単位としており、図１においては配送伝票１が二単位にして連接され、その連結形態で、例えば用紙の寸法体系中におけるＡ４判となるように設けられている。
【０００９】
上述したように一葉物とされた配送伝票１において、領域Ａにおける帳票用シート部材５の区画部分ａをシート部材２に剥離困難に強接着し、この区画部分ａにおける帳票用シート部材５の表面に、届け先住所氏名、依頼主住所氏名などを記載する配送情報記載部７を設けて、区画部分ａとシート部材２とが一体となった状態の部分を貼付票８として形成している。
さらに、平面上、貼付票情報表示領域とされた領域Ａに並設した領域Ｂにあっては、この領域Ｂにおける帳票用シート部材５の区画部分ｂをシート部材２に剥離可能に接着し、この区画部分ｂにおける帳票用シート部材５の表面に、届け先住所氏名、依頼主住所氏名などを記載する配送情報記載部７を設けて、区画部分ｂの帳票用シート部材５単体を配達票９として形成している。このように配達票９においては貼付票８に対して分離可能に設けられているとともに、その貼付票８の情報表示領域外に位置するように設定されている。
また、平面上、上記領域Ｂに並設した領域Ｃにあっても、この領域Ｃにおける帳票用シート部材５の区画部分ｃをシート部材２に剥離可能に接着し、この区画部分ｃにおける帳票用シート部材５の表面に、届け先住所氏名、依頼主住所氏名などを記載する配送情報記載部７を設けて、区画部分ｃの帳票用シート部材５単体を売り場控え票１０として形成している。このように売り場控え票１０においても貼付票８に対して分離可能に設けられ、貼付票８および配達票９の各情報表示領域外に位置するように設定されている。
【００１０】
上記配達票９の区画部分ｂと売り場控え票１０の区画部分ｃとを貼付票８のシート部材２に対して剥離可能に接着する構成は、シート部材２に帳票用シート部材５を貼り合わせる際、シート部材２の上面に接着剤１１を塗布した後、領域Ｂ、Ｃに対応する部分に接着力を弱めるように印刷１２を施してから帳票用シート部材５を重ね合わせて接着し、上記スリット６を入れることによって形成されている（図２、図３（イ）（ハ）参照）。
【００１１】
本配送伝票１においてはのし紙１３を備えているものである。こののし紙１３は、平面上、上記領域Ａ，Ｂ，Ｃの並びに沿っている領域Ｄに位置していて、この領域Ｄにおける帳票用シート部材５の区画部分ｄをシート部材２に剥離不能に強接着し、領域Ａ，Ｂ，Ｃとの境界位置であるスリット６を、シート部材２を分断し、上記剥離紙４を分断しないようにしてこの剥離紙４に達しさせることで形成されており、この区画部分ｄにおける帳票用シート部材５の表面は、のし図柄１４を印刷しているとともに、貼付票６、配達票９、売り場控え票１０と同じように情報記載が可能に設けられている。
このようにのし紙１３は貼付票８と並設され、かつ貼付票８に対して分離可能に設けられているものである。
【００１２】
一単位の配送伝票１における貼付票８の情報記載部分、配達票９の情報記載部分、売り場控え票１０の情報記載部分、そして上記のし紙１３の情報記載が可能な表面がともに相い重なることなく平面上に配置されていることから、この配送伝票１を例えば上述したＡ４判の形態で静電プリンタに装填することで、各部位に必要な情報をその静電プリンタにて記載させることができ、情報出力が効率よく行なえるものとなる。
【００１３】
上記のし紙１３自体は上述したように上層を帳票用シート部材５とし、下層をシート部材２として、この両シート部材を貼り合わせてなるものである。よって、のし紙１３を裏面も貼付票８の裏面と同一平面となっており（図３（ロ）参照）、貼付票８の裏面に一様にして塗布された粘着剤３と同じ粘着剤３が施されている（図４）。
しかしながら、こののし紙１３の裏面にあっては、のし紙１３の長手方向に亘って、前記粘着剤３を点や線などのパターンで塗布してのし紙貼着物に対する粘着力を剥離可能な粘着力に調整してなる弱粘着部１５が設けられていて、剥離紙４により覆われている。
このようにのし紙１３が分離可能であって、その裏面において剥離可能に粘着力が調整された弱粘着部１５が設けられているため、配送伝票１に情報出力した後に売り場控え票１０とのし紙１３とを取り外して、配送物とする贈答品の表面に前記のし紙１３を貼着することができ、そして、配送用の包装をしてからその上に貼付票８と配達票９とからなる状態の配送伝票１を貼付できる。配送業務の過程で配達票９を取り外し、貼付票８が貼着された状態の配送物が届け先に渡されることになるが、その配送物を受け取った側では梱包用の包装を外したのち、贈答品の表面に貼着されているのし紙１３を必要に応じて取り外すことができ、その取り外し作業は極めて簡単なものとなる。
【００１４】
上記のし紙１３における弱粘着部１５は、上述したように粘着剤３を点や線などのパターンで塗布してのし紙貼着物に対する粘着力を剥離可能な粘着力に調整したものであればよく、パターン形態が限定されるものではないが、以下にパターンの数例を示す。
図５に示す弱粘着部１５のパターンは単位パターン１６を繰り返してなる連続形態のものである。
図５（イ）に示すものは、単位パターン１６の広さが約４ｍｍ×約４ｍｍであって、その単位パターン１６当たりにおいて粘着剤塗布面の広さを約１ｍｍ×約１ｍｍとした一個のドット状粘着剤塗布部１７を有するようにした。この場合においては、貼着したのし紙１３の不用意な脱落はなく、また、取り外しも容易に行なえることが確認できた。
図５（ロ）に示すものは、単位パターン１６の広さが約３ｍｍ×約３ｍｍであって、その単位パターン１６当たりにおいて粘着剤塗布面の広さを約１ｍｍ×約１ｍｍとした一個のドット状粘着剤塗布部１７を有するようにした。この場合においても、貼着したのし紙１３の不用意な脱落はなく、また、取り外しも容易に行なえることが確認できた。
図５（ハ）に示すものは、単位パターン１６の広さが約２ｍｍ×約２ｍｍであって、その単位パターン１６当たりにおいて粘着剤塗布面の広さを約１ｍｍ×約１ｍｍとした一個のドット状粘着剤塗布部１７を有するようにした。この場合においても、貼着したのし紙１３の不用意な脱落はなく、また、取り外しも容易に行なえることが確認できた。
【００１５】
このようにドット状粘着剤塗布部１７を約１ｍｍ×約１ｍｍとし、単位パターン１６に一個のドット状粘着剤塗布部１７を設ける場合、単位パターン１６の広さを約２ｍｍ×約２ｍｍ〜約４ｍｍ×約４ｍｍの範囲とすることで、のし紙１３の不用意な脱落と取り外しの容易さを確保した状態で、再剥離性の粘着力を調整することが可能である。なお、ドット状粘着剤塗布部１７の形状は四角以外の丸や他の形状とすることも可能である。
【００１６】
上記のし紙１３においては裏面全面を弱粘着部１５としたが、本発明はこれに限定されるものではない。例えば図６に示すようにのし紙１３の裏面の長手方向の両端側それぞれを弱粘着部１５とし、その間の部分をのし紙分離の際に剥離紙４が伴われて粘着力を生じない部分とすることも可能である。
また、上記貼付票８は帳票用シート部材５の領域Ａにおける区画部分ａがシート部材２に接着されている構成として示したが、シート部材２の領域Ａに対応する部分に配送情報記載部を設けることでこの貼付票８を形成するようにしてもよい。
【図面の簡単な説明】
【００１７】
【図１】本発明に係る配送伝票の一例を示す説明図である。
【図２】一例における帳票用シート部材とシート部材とを分離した状態で示す説明図である。
【図３】一例を断面で示すもので、（イ）は図１イ−イ線部での断面を示す説明図、（ロ）は図１ロ−ロ線部での断面を示す説明図、（ハ）は図１ハ−ハ線部での断面を示す説明図である。
【図４】一例におけるのし紙の裏面を示す説明図である。
【図５】弱粘着部における粘着剤のパターンを示す説明図である。
【図６】のし紙の着粘着部の配置の他の例を示す説明図である。
【符号の説明】
【００１８】
１…配送伝票
２…シート部材
３…粘着剤
４…剥離紙
５…帳票用シート部材
８…貼付票
９…配達票
１０…売り場控え票
１３…のし紙
１５…弱粘着部
１６…単位パターン
１７…ドット状粘着剤塗布部
【図１】
2007007906.tif 000003
【図２】
2007007906.tif 000004
【図３】
2007007906.tif 000005
【図４】
2007007906.tif 000006
【図５】
2007007906.tif 000007
【図６】
2007007906.tif 000008